(57)【要約】【課題】  収容物を磁気の作用で効率的に活性化させることができる磁気処理容器を提供する。【解決手段】  上記課題を解決する本発明は、収容物Ｌを入れる非磁性の容器本体１０と、容器本体１０の外側底面１１ｂとの間で区画室Ｒを形成している非磁性のカバー２０と、区画室Ｒに転動自在に収容された永久磁石３０と、を備え、永久磁石３０の磁極が、当該永久磁石３０の転動に伴って収容物Ｌに対する磁界の向きが反転するように配置されている磁気処理容器１である。【選択図】      図２
2015093690.tif 000002
【特許請求の範囲】
【請求項１】
磁気の作用によって収容物を活性化させる磁気処理容器であって、
前記収容物を入れる容器本体と、前記容器本体の外側底面との間で区画室を形成しているカバーと、前記区画室に収容された永久磁石と、を備え、前記永久磁石の磁極が、前記収容物と永久磁石の相対移動に伴って前記収容物に対する磁界の向きが反転するように配置されていることを特徴とする磁気処理容器。
【請求項２】
前記永久磁石は、転動自在に収容されており、
前記永久磁石の磁極が、当該永久磁石の転動に伴って前記収容物に対する磁界の向きが反転するように配置されている請求項１に記載の磁気処理容器。
【請求項３】
前記永久磁石は、球状に形成されている請求項２に記載の磁気処理容器。
【請求項４】
前記区画室を複数の小区画に仕切る非磁性材料からなる間仕切りをさらに備え、複数の前記永久磁石が互いの自在な転動を妨げないように前記小区画に個別に収容されている請求項２又は３に記載の磁気処理容器。
【請求項５】
前記永久磁石が、不動状に複数個収容されており、
互いに隣り合う前記永久磁石の磁極が、異極性となるように配置されている請求項１に記載の磁気処理容器。
【請求項６】
前記容器本体の底部が、前記容器本体の内部に向かって凹入されており、この凹入部分を前記カバーで覆って前記区画室を構成している請求項１〜５の何れか一項に記載の磁気処理容器。
【発明の詳細な説明】
【技術分野】
【０００１】
本発明は、磁気の作用によって収容物を活性化させる磁気処理容器に関する。
【背景技術】
【０００２】
従来、磁気の作用によって、水、お茶、コーヒー、酒類等の液体飲料、酢や醤油などの液体調味料の味がまろやかになったり、水分を含む固形食品の味が良くなったり、化粧水などの液体非飲料の品質が向上したりすることが知られている。これは、水分子やアルコール分子などの極性を有する分子の会合体が磁気の作用を受けて活性化されることに起因する現象である、と言われている。
【０００３】
特許文献１には、磁気の作用によって液体や水分含有物等の収容物を活性化させるための磁気処理容器の一例として、飲食料を収納する鉄製の箱状体の内側に磁石を吸着させた磁気ボックスが開示されている。この磁気ボックス内に、容器に入れられた水、瓶入り牛乳、缶ビール、缶ジュース、野菜、果物等の飲食料を収納した後、飲食に供することで、健康と長寿を得ることができる、とされている。
また、特許文献２には、流水に作用する磁界の向きを交互に反転させることにより、効率良く良質の水を得ることができる水活性装置が開示されている。
【先行技術文献】
【特許文献】
【０００４】
【特許文献１】特開平１０−１７９１０２号公報
【特許文献２】特開２００４−１８８３６７号公報
【発明の概要】
【発明が解決しようとする課題】
【０００５】
しかし、特許文献１に記載の磁気ボックスは、箱状体に磁石が吸着されているために、磁気ボックスに入れられた固形食品等の収容物に対する磁界の向きが変わらないので、効率良く収容物を活性化させることができない。また、特許文献２の水活性化装置は、飲料缶等の容器に収容した液体飲料等の収容物には適用することができない。
【０００６】
本発明は、上記の事情に鑑みてなされたものであり、収容物を磁気の作用で効率的に活性化させることができる磁気処理容器を提供することを目的とする。
【課題を解決するための手段】
【０００７】
（１）本発明は、磁気の作用によって収容物を活性化させる磁気処理容器であって、前記収容物を入れる容器本体と、前記容器本体の外側底面との間で区画室を形成しているカバーと、前記区画室に収容された永久磁石と、を備え、前記永久磁石の磁極が、前記収容物と永久磁石との相対移動に伴って前記収容物に対する磁界の向きが反転するように配置されていることを特徴とする磁気処理容器である。
本発明の磁気処理容器によれば、収容物に対する磁界の向きを反転させることができるので、収容物を磁気の作用で効率的に活性化させることができる。
【０００８】
（２）（１）に記載の磁気処理容器において、前記永久磁石は、転動自在に収容されており、前記永久磁石の磁極が、当該永久磁石の転動に伴って前記収容物に対する磁界の向きが反転するように配置されていることが好ましい。この場合、永久磁石が転動することで収容物に対する磁界の向きを反転させることができる。
（３）（２）に記載の磁気処理容器において、前記永久磁石は、球状に形成されていることが好ましい。この場合、永久磁石が転動し易いので、収容物に対する永久磁石の磁界の向きを容易に反転させることができる。
【０００９】
（４）（２）又は（３）に記載の磁気処理容器において、前記区画室を複数の小区画に仕切る非磁性材料からなる間仕切りをさらに備え、複数の前記永久磁石が互いの自在な転動を妨げないように前記小区画に個別に収容されていることが好ましい。この場合、複数の永久磁石が各自自在に転動することで、収容物に対する磁界の向きを広範囲にわたって反転させることができるので、収容物を磁気の作用でさらに効率的に活性化させることができる。
【００１０】
（５）（１）に記載の磁気処理容器において、前記永久磁石が、不動状に複数個収容されており、互いに隣り合う前記永久磁石の磁極が、異極性となるように配置されていることが好ましい。この場合、収容物が移動することで収容物に対する磁界の向きを反転させることができる。
（６）（１）〜（５）の何れか一つに記載の磁気処理容器において、前記容器本体の底部が、前記容器本体の内部に向かって凹入されており、この凹入部分を前記カバーで覆って前記区画室を構成していることが好ましい。この場合、区画室を簡単に構成できる。
【発明の効果】
【００１１】
本発明の磁気処理容器によれば、収容物を磁気の作用で効率的に活性化させることができる。
【図面の簡単な説明】
【００１２】
【図１】本発明の第１実施形態に係る磁気処理容器の断面図である。
【図２】図１に示す磁気処理容器の底部拡大断面図である。
【図３】永久磁石が図２に示す状態から転動したときの底部拡大断面図である。
【図４】第１実施形態に係る磁気処理器の変形例を示す底部拡大平面図である。
【図５】本発明の第２実施形態に係る磁気処理装置の底部拡大断面図である。
【発明を実施するための形態】
【００１３】
以下、図面を参照しつつ、本発明の第１実施形態を説明する。
図１は、本発明の第１実施形態に係る磁気処理容器１の断面図である。この磁気処理容器１は、収容物としての液体飲料Ｌを入れる容器本体１０と、容器本体１０の外側底面１１ｂとの間で区画室Ｒを形成しているカバー２０と、当該区画室Ｒに転動自在に収容された球状の永久磁石３０と、を備えている。
【００１４】
容器本体１０は、アルミニウム等の非磁性材料からなる有底筒状の缶容器であり、略円板状の底部１１と略円筒状の胴部１２とが一体的に形成されている。底部１１は、内圧に耐え得るように容器本体１０の内部に向かって凹入されている。容器本体１０の上部は口絞り（ネッキング）されており、その開口部１３は容器本体１０において最も小径に形成されている。開口部１３には蓋１９が螺着されており、蓋１９によって容器本体１０の内部が密封されている。
【００１５】
カバー２０は、容器本体１０の底部１１と略同一の大きさの平坦な円板状に形成された合成樹脂製又は紙製のシートであり、その一方の面の外周縁部２１ａには接着剤が塗布されている。カバー２０は、外周縁部２１ａが底部１１の外周縁１１ａに接着することで、底部１１に固着されている。
【００１６】
このようにして、底部１１がカバー２０で覆われて、底部１１の外側底面１１ｂとカバー２０との間に区画室Ｒが構成されている。区画室Ｒは、永久磁石３０の直径よりも高さ寸法が大きく、容器本体１０の胴部１２の直径よりやや小さい直径の略円盤形状を有している。底部１１に固着したカバー２０は、永久磁石３０の重みによって撓みが生じない程度の剛性を有しており、永久磁石３０を水平方向に自在に転動するように下方から支持している。
【００１７】
永久磁石３０は、区画室Ｒ内を複数回転動自在な大きさの球状に形成されている。また、永久磁石３０は、一方の半球がＮ極となり他方の半球がＳ極となるように着磁されている。なお、永久磁石３０は、例えば、ネオジム磁石、フェライト磁石、サマリユウムコバルト磁石、アルニコ磁石のいずれかで構成することができる。
【００１８】
図２は、図１に示す磁気処理容器１の底部拡大断面図であり、図３は、永久磁石３０が図２に示す状態から転動して液体飲料Ｌに対する磁界の向きが反転したときの底部拡大断面図である。図２及び図３には、永久磁石３０の磁力線Ｊが示されている。図２及び図３に示すように、永久磁石３０が転動することで容器本体１０に入れられた液体飲料Ｌに対する磁界の向きが反転する。
【００１９】
このような構成の磁気処理容器１によれば、永久磁石３０が運搬中の振動等によって転動することで液体飲料Ｌに対する磁界の向きを反転させることができるので、容器本体１０に収容された液体飲料Ｌを磁気の作用で効率的に活性化させることができる。
【００２０】
また、上述の磁気処理容器１において、永久磁石３０は、球状に形成されている。このため、永久磁石３０は転動し易く、容器本体１０に入れられた液体飲料Ｌに対する永久磁石３０の磁界の向きを容易に反転させることができる。
また、上述の磁気処理容器１において、容器本体１０の底部１１が、容器本体１０の内部に向かって凹入されており、この凹入部分（底部１１）をカバー２０で覆って区画室Ｒを構成している。このため、区画室Ｒを簡単に構成できる。
さらに、上述の磁気処理容器１は、容器本体１０の外部に永久磁石３０が配設されているため、液体飲料等を直接収容するのに好適である。
【００２１】
次に、第１実施形態に係る磁気処理器１の変形例を説明する。
図４は、この変形例を示す一部拡大平面図であり、カバー２０、永久磁石３０、及び区画室Ｒ内に配置されている間仕切り１５のみを上方から見た図である。当該変形例では、磁気処理器１は、区画室Ｒを複数の小区画ｒ１，ｒ２に仕切る平面視格子状の間仕切り１５を区画室Ｒ内に備えている。この間仕切り１５は、非磁性材料からなっている。そして、複数の永久磁石３０は、磁力によって互いの自在な転動を妨げないように小区画ｒ１に個別に収容されている。
【００２２】
永久磁石３０を収容している小区画ｒ１の周りは、全て永久磁石３０を収容しない小区画ｒ２によって囲まれている。また、永久磁石３０を収容する小区画ｒ１は、永久磁石３０が半回以上転動可能なように、その周囲の小区画ｒ２よりも広くとられている。
このような構成にすれば、複数の永久磁石３０Ａが各自自在に転動することで、液体飲料Ｌに対する磁界の向きを広範囲にわたって反転させることができるので、液体飲料Ｌを磁気の作用でさらに効率的に活性化させることができる。
【００２３】
次に、本発明の第２実施形態の磁気処理器１Ａを説明する。なお、簡単のために、上述の第１実施形態の磁気処理器１と同一の構成については説明を省略する。
図５は、第２実施形態に係る磁気処理装置１Ａの底部拡大断面図である。図５に示すように、この磁気処理装置１Ａでは、永久磁石３０Ａが自身の両磁極を結ぶ方向を鉛直方向にしてシート２０の上面に沿って直線的かつ等間隔に複数個配列されている。また、永久磁石３０Ａは、互いに隣り合う永久磁石３０Ａの上側にくる磁極が互に異磁性となるように配列されている。さらに、永久磁石３０Ａは、転動しないようにシート２０に固着されている。前記永久磁石３０Ａの配列によって、容器本体１０の内部に隣り合う永久磁石３０Ａの磁極間を結ぶ磁力線Ｊが生じる。そして、水平方向において隣接している磁力線Ｊは、互いに反対向きとなっている。このため、例えば図５において矢印Ｄで示すように液体飲料Ｌが流動すると、当該液体飲料Ｌの流動部分に対する磁界の向きが反転する。
【００２４】
上述の構成の磁気処理容器１Ａによれば、液体飲料Ｌが運搬中の振動等によって容器本体１０の内部において流動すること等により、液体飲料Ｌに対する磁界の向きを反転させることができるので、液体飲料Ｌを磁気の作用で効率的に活性化させることができる。
【００２５】
なお、本発明は、上述の第１実施形態及び第２実施形態に限定されるものではない。本発明には、永久磁石の磁極が、収容物と永久磁石の相対移動に伴って前記収容物に対する磁界の向きが反転するように配置されている全ての磁気処理器が含まれる。
【００２６】
例えば、第１実施形態の磁気処理容器１において、永久磁石３０は、必ずしも球状でなくてもよく、円柱状等であってもよい。永久磁石が円柱状の場合、円柱の中心軸を含む仮想平面がＮ極とＳ極の境界面となるように着磁して、永久磁石の側面がカバー２０と接するように区画室Ｓに転動自在に収容すれば、当該永久磁石の転動に伴って液体飲料Ｌに対する磁界の向きが容易に反転する。要するに、永久磁石３０は、転動可能な形状で、且つ、転動に伴って収容物に対する磁界の向きが反転するように磁極が配置されていればよい。
【００２７】
また、容器本体１０は、アルミ缶の代わりに、底部１１が内部に向かって凹入している瓶やペットボトルなどであってもよい。容器本体は、固形食品等を収容する箱状のものであってもよい。カバーは、平坦な円板状のカバー２０の代わりに、容器本体１０の胴部１２の下端部の外周に嵌合させた有底筒状のものであってもよい。
【符号の説明】
【００２８】
１，１Ａ：磁気処理容器、１０：容器本体、１１：底部、１１ｂ：外側底面、１５：間仕切り、２０：カバー、３０，３０Ａ：永久磁石、Ｌ：液体飲料（収容物）、Ｒ：区画室、ｒ１：小区画
【図１】
2015093690.tif 000003
【図２】
2015093690.tif 000004
【図３】
2015093690.tif 000005
【図４】
2015093690.tif 000006
【図５】
2015093690.tif 000007